(57)【要約】【課題】ピッキング及びバイパス等の不正な解錠行為に対して高い防犯性を有する建築物用の錠前を提供する。【解決手段】本発明による錠前は、デットボルト、デットボルト駆動機構、ラッチボルト、及びラッチボルト駆動機構を収納する錠前ケースを具え、シリンダは、錠前ケースに対して貫通するように錠前ケースに取り付ける。この構成を採用することにより、錠前ケースがほぼ密封された構造を有するので、ピッキング及びバイパス用の治具が錠前ケース内部に侵入することが防止される。さらに、シリンダの回転カムがほぼ２回転することによりデットボルトが施錠位置から解錠位置に移行するように構成する。この結果、サムターンの必要作動角が大きくなり、不正解錠行為に対して有効なものとなる。【選択図】　　　　図２
2004143723.tif 000002
【特許請求の範囲】
【請求項１】
タンブラピンと、タンブラピンを押圧するスプリングと、キーにより回転する回転軸と、回転軸に連結された回転カムとを有するシリンダと、
前記シリンダの回転軸に連結され、施錠及び解錠に際し回転カムを回転させるためのサムターンと、
解錠状態にある第１の位置と施錠状態にある第２の位置との間でスライド可能なデットボルトと、
前記回転カムと係合し、回転カムの回転移動によりデットボルトをスライド移動させるデットボルト駆動機構と、
解錠状態にある第１の位置と施錠状態にある第２の位置との間でスライド移動可能なラッチボルトと、
レバーハンドルが連結され、レバーハンドルの回動によりラッチボルトをスライド移動させるラッチボルト駆動機構と、
前記デットボルト、デットボルト駆動機構、ラッチボルト、及びラッチボルト駆動機構を収納する錠前ケースとを具え、
前記シリンダは、錠前ケースに対して貫通するように錠前ケースに取り付けられ、前記錠前ケースがほぼ密封された構造を有し、さらに、前記回転カムがほぼ２回転することにより前記デットボルトが第１の位置から第２の位置に移行することを特徴とする建築物用の錠前。
【請求項２】
前記シリンダは、デットボルト及びデットボルト駆動機構よりも上方に位置し、前記タンブラピン及びタンブラピンを押圧するスプリングがシリンダのキー開口部よりも上方に位置することを特徴とする請求項１に記載の建築物用の錠前。
【請求項３】
前記デットボルトに設けたピンに回転自在に装着された回動レバーを有し、当該回動レバーは、前記デットボルトが第１の位置に位置する場合、一端が前記回転カムに当接し他端は前記ラッチボルトに結合した係止部材に当接し、前記回転カムが解錠方向に回動すると前記ラッチボルトが解錠方向にスライドすることを特徴とする請求項１又は２に記載の建築物用の錠前。
【請求項４】
請求項１から３までのいずれか１項に記載の建築物用の錠前において、前記ラッチボルトは、当該ラッチボルトを施錠方向に押圧する第１のスプリングと解錠方向に押圧する第２のスプリングとが連結され、ラッチボルトを施錠位置を超えて施錠方向に突出させた際、当該ラッチボルトを少なくとも１８０°の回転角にわたって回転させることができることを特徴とする建築物用の錠前。
【請求項５】
請求項１から４までのいずれか１項に記載の建築物用の錠前において、前記シリンダをユーロプロファイルシリンダとしたことを特徴とする建築物用の錠前。
【発明の詳細な説明】
【０００１】
【産業上の利用分野】
本発明は、セキュリティ性が大幅に改善された建築物用の錠前に関するものである。
【０００２】
【従来の技術】
従来、建築物用の錠前についてピッキング又はシリンダ以外を狙った所謂バイパスによる解錠被害が発生しており、防犯性の向上が強く要請されている。バイパス解錠は、シリンダのカラーとドアとの隙間から解錠治具を挿入して回転カムを不正に回転操作するものである。このようなバイパス解錠に対する対策として、例えば錠前ケースの開口部を塞ぐための保護部材を設ける方法が提案されている（例えば、特許文献１参照）。
【０００３】
【特許文献１】
実用新案登録第３０８０８９９号公報
【０００４】
【発明が解決しようとする課題】
上述した既知の錠前では、錠前ケースのシリンダと対応する開口部が保護部材により覆われるため、ピッキングに対してある程度の対策となっている。しかし、バイパスに対しては十分な対策が施されておらず、不正な解錠行為に対する防犯性を高める上で一層の改善が強く要請されている。さらに、従来の錠前では、サムターン、デットボルト、レバーハンドルが個別に動作する構成としているため、レバーハンドルが故障したり或いは不正な侵入者によりレバーハンドルが破壊された場合、ドアを開閉できなくなる場合もあった。また、キー開口部からの粉塵等の侵入により錠前の操作性が劣化する不具合も指摘されていた。
【０００５】
従って、本発明の目的は、ピッキング及びバイパス等の不正な解錠行為に対して高い防犯性を有する建築物用の錠前を提供することにある。
【０００６】
さらに、本発明の別の目的は、防犯性の向上と共にユーザに対する操作性も向上し耐久性に優れた建築物用の錠前を提供することにある。
【０００７】
【課題を解決する手段】
本発明による建築物用の錠前は、タンブラピンと、タンブラピンを押圧するスプリングと、キーにより回転する回転軸と、回転軸に結合された回転カムとを有するシリンダと、
前記シリンダの回転軸に結合され、施錠及び解錠に際し回転カムを回転させるためのサムターンと、
解錠状態にある第１の位置と施錠状態にある第２の位置との間でスライド可能なるデットボルトと、
前記回転カムと係合し、回転カムの回転移動によりデットボルトをスライド移動させるデットボルト駆動機構と、
解錠状態にある第１の位置と施錠状態にある第２の位置との間でスライド移動可能なラッチボルトと、
レバーハンドルが連結され、レバーハンドルの回動によりラッチボルトをスライド移動させるラッチボルト駆動機構と、
前記デットボルト、デットボルト駆動機構、ラッチボルト、及びラッチボルト駆動機構を収納する錠前ケースとを具え、
前記シリンダは、錠前ケースに対して貫通するように錠前ケースに取り付けられ、前記錠前ケースがほぼ密封された構造を有し、さらに、前記回転カムがほぼ２回転することにより前記デットボルトが第１の位置から第２の位置に移行することを特徴とする。
【０００８】
本発明では、ピッキング対策及びバイパス対策として、シリンダが錠前ケースを貫通するように装着すると共にデッドボルト及びその駆動機構を収納した錠前ケースをほぼ密封された構造を採用する。このような構造を採用することにより、外部からピッキング用及びバイパス用の開錠治具を錠前ケース内部に挿入させることができず、防犯性が大幅に向上する。さらに、防犯性を高めるためには、デットボルトの突出量を大きくすることが望ましい。しかし、従来の錠前では、サムターンの回転角は約９０°であるため、デットボルトの突出量を改善するためには限界があった。そこで、本発明では、デットボルトを施錠状態から解錠状態へ移行させるためのサムターン又はキーの回転角を約２回転すなわち、７２０°に設定する。このように、サムターンの回転角を７２０°に設定することにより、デットボルトの突出量を大幅に大きくすることができる。ここで、重要なことは、解錠するために必要な回転角を大きくすることは、不正な解錠行為がされようとしている場合、解錠に要する時間を長くすることができ、防犯性も改善される利点が達成される。
【０００９】
本発明による建築物用の錠前の好適実施例は、シリンダが、デットボルト及びデットボルト駆動機構よりも上方に位置し、前記タンブラピン及びタンブラピンを押圧するスプリングがシリンダのキー開口部よりも上方に位置することを特徴とする。従来の錠前では、タンブラピン及びスプリングがキー開口部よりも下方に位置していたため、キーの開口部から粉塵等が内部に侵入し堆積し、タンブラピンの動作に悪影響を与える不具合が指摘されていた。これに対して、タンブラピン及びそのスプリングがキー開口部よりも上方に位置するようにシリンダを配置すれば、キー開口部から粉塵やゴミが内部に侵入しても、これらの粉塵はシリンダの底部に溜まるだけであるため、タンブラピンやスプリングの動作に悪影響を与えることが防止される。この構成を採用することにより、タンブラピンは上方から下方に向く作用力を受け、重力との関係において好ましい状態を維持することができる。
【００１０】
本発明による建築物用の錠前の別の好適実施例は、デットボルトに設けたピンに回転自在に装着された回動レバーを有し、当該回動レバーは、前記デットボルトが第１の位置に位置する場合、一端が前記回転カムに当接し他端は前記ラッチボルトに結合した係止部材に当接し、前記回転カムが解錠方向に回動すると前記ラッチボルトが解錠方向にスライドすることを特徴とする。従来の錠前では、レバーハンドル、デットボルト、及びサムターンはそれぞれ別個に動作していた。このため、例えばレバーハンドルが故障した場合、デットボルトが解錠されてもドアを開くことが不可能になる場合もあった。これに対して、本発明では、回動レバーによりシリンダの回転カムとラッチボルトとが連結されるので、レバーハンドルに故障が生じてもサムターン又はキーによりラッチボルトを解錠させることが可能になる利点が達成される。
【００１１】
本発明による建築物用の錠前の好適実施例は、ラッチボルトには、当該ラッチボルトを施錠方向に押圧する第１のスプリングと解錠方向に押圧する第２のスプリングとが連結され、ラッチボルトを施錠位置を超えて施錠方向に突出させた際、当該ラッチボルトを少なくとも１８０°の回転角にわたって回転させることができることを特徴とする。このように、ラッチボルトを１８０°以上の角度にわたって回転可能に設定することにより、ドアが壁に対して右側又は左側のいずれの側に取り付けられる場合であっても自在に用いることが可能になる。
【００１２】
さらに、本発明による建築物用の錠前の好適実施例は、シリンダをユーロプロファイルシリンダとしたことを特徴とする。ユーロプロファイルシリンダはセキュリティ性が極めて高い特性を有しているから、ユーロプロファイルシリンダを用いることにより、シリンダ自体のセキュリティ性を高めることが可能になる。さらに、ユーロプロファイルシリンダは、ほぼ寸法が規格化されているので、シリンダだけを交換することができる。この結果、ユーザの要望に応じて所望のシリンダを交換して使用することができる。
【００１３】
【発明の実施の形態】
図１は本発明による建築物用錠前の一例の構成を示す斜視図である。デットボルト及びその駆動機構並びにレバーハンドル駆動機構を収納した錠前ケース１を用いる。この錠前ケース１は、ほぼ密封した構造を有し、バイパス用の治具が内部に侵入できない構造とする。錠前ケース１を支持する扉には、シリンダエスカッション２及びサムターンエスカッション３を取り付ける。これらエスカーションを介してシリンダ４を装着する。シリンダ４は、錠前ケース１を貫通するように装着され、シリンダ取付用のボルト５により錠前ケース１に固定する。シリンダ４には、サムターン６を直接連結固定する。従って、サムターン６を回転することにより、シリンダ４内に回転可能に設けられている回転カムもサムターンの回転に応じて自在に回転する。
【００１４】
扉に取り付けたＯ／Ｓレバーハンドルエスカッション及びＩ／Ｓレバーハンドルエスカッション８を経てレバーハンドル９ａ及び９ｂが装着され、このレバーハンドルは錠前ケース内に収納されているレバーハンドル駆動機構に連結され、レバーハンドルの回転駆動によりラッチボトルの開閉が行われる。
【００１５】
本発明では、シリンダ４としてユーロプロファイルシリンダを用いる。このユーロシリンダは、セキュリティ性が一層高く、しかも回転カムの大きさ等の寸法が規格化され互換性を有するため、ユーザの要望に応じて各種ユーロプロファイルシリンダを交換使用可能である。シリンダ４は、施錠キーと係合するタンブラピン及びタンブラピンを押圧するスプリング（図示せず）を内蔵する。本発明では、これらタンブラピン及びスプリングは、スプリングからタンブラピンに作用する弾圧力が上方から下方に向けて作用するように配置する。従って、シリンダ４のタンブラピン及びスプリングを収納する空間１０がキー挿入開口部１１よりも上方に位置するようにシリンダ４が取り付けられる。従って、キー挿入開口部１２からシリンダの内部にゴミや粉塵等が侵入しても、これらの粉塵はシリンダの下側に堆積するだけであるため、タンブラピン及びスプリングの動作に悪影響を与えることはない。
【００１６】
さらに、シリンダ４は、その内部に回転軸（図示せず）を有し、この回転軸に回転カム１２を固定する。そして、シリンダ４を装着した際、回転カム１２が錠前ケース内に位置し、ケース内に配置したデットボルト駆動機構と係合するように構成する。回転軸にはサムターン６が固定されているので、サムターン又はキーを回転することにより、回転カム１２も自在に回転する。
【００１７】
図２は錠前ケース１の内部構造を示す平面図である。尚、説明を簡明にするため後述するアシストプレートを取り除いた状態を示す。図２ａは解錠した状態を示し、図２ｂは中間の状態を示し、図２ｃは施錠状態を示す。符号２０はデットボルトを示す。このデットボルトは、状態ケース１の開口部及びケースに設けたピン２１により水平方向にスライド可能に支持する。また、デットボルトホルダ２２を上下動可能に支持する。デットボルトホルダ２２には係止片２２ａが固着され、この係止片２２ａはデットスプリング２３により上方に向く押圧力が作用する。
【００１８】
図３はデットボルトの形状を示す平面図である。デットボルト２０の上側には、シリンダの回転カム１２と係合する２つの係止溝２０ａ及び２０ｂが形成され、下側にはデットボルトホルダ２２の係止片２２ａと係合する３つの係止溝２０ｃ、２０ｄ及び２０ｅを形成する。サムターン又はキーを回転すると、シリンダの回転カム１２がデットボルト２０の係合溝２０ａと係合し、次の回転により係合溝２０ｂと係合する。そして、回転カムが係合溝の係止壁と当接し、デットボルトを施錠方向又は解錠方向にスライドさせる。これにより、サムターン又はキーの回転移動がデットボルトのスライド移動に変換される。本発明では、デットボルト２０の上側に２つの係合溝を設け、キー又はサムターンが２回転することによりデットボルトを解錠位置（図２ａ）から中間位置（図２ｂ）を経て施錠位置（図２ｃ）に移動させる。デットボルトのスライドに伴い、デットボルトホルダ２２の係止片２２ａが３個の係止溝２０ｃ、２０ｄ及び２０ｅと係合し、デットボルトは固定状態に維持される。尚、回転カムの回転に伴い、回転カムはデットボルトホルダ２２と当接し、デットボルトホルダを下方に変位させ、係止片２２ａと係止溝との係合が解除される。これにより、デットボルトは、解錠位置、中間位置及び施錠位置を順次占めることができる。
【００１９】
錠前ケース１には、ラッチボルト２４をスライド可能及び回転可能に支持する。ラッチボルト２４には、２個の係止片２４ａ及び２４ｂを設ける。係止片２４ａにはラッチボルトスプリング２５を取り付け、このラッチボルトスプリングの押圧力によりラッチボルトを施錠位置方向に押圧する。さらに、ラッチボルト２４には、ラッチボルトスプリングの内側にラッチスプリング２６を装着する。このラッチスプリングは、ラッチボルトが施錠方向に押圧された場合、ラッチボルトを施錠方向とは反対方向すなわち解錠方向に作用する押圧力を発生する。従って、ラッチボルト２４をラッチが設けられている側とは反対側から施錠方向に作用する力をかけると、ラッチがフロントから外側に突出する。この際、ラッチボルトは回転可能に支持されているので、ラッチがフロントから突出した状態で１８０°回動させることにより、ラッチの向きを反対向きとすることができる。この結果、ドアが壁に対して右側又は左側のいずれの側に取り付けられる場合であっても自在に用いることが可能になる。
【００２０】
錠前ケース１には、さらにハンドルホルダ２７を回動自在に取り付け、レバーハンドル（図示せず）の回動によりラッチボルト２４を施錠位置から解錠位置に戻すことができる。
【００２１】
デットボルト２０にはピン２８を設け、このピンにカムプレート２９を回転可能に装着する。図２ａに示す解錠状態において、回転プレート２９の一方の端部はシリンダの回転カムと当接する状態に位置し、他方の端部はラッチボルトに設けた係止片２４ｂと当接する状態に位置する。この状態において、回転カム１２をさらに解錠方向（矢印ａで示す方向）に回転させると、回転カムが回転プレート２４と当接し、回転プレートを反時計方向に回動させ、この結果回転プレート２９の他方の端部がラッチボルトに設けた係止片２４ｂを押圧し、ラッチボルトを解錠方向にスライドさせる。このように、シリンダの回転カムとラッチボルトとを連動させることにより、レバーハンドルが故障した場合であってもサムターン又はキーによりドアの開閉を行うことができる。
【００２２】
図４は本発明による錠前の変形例を示す平面図である。本例では、デットボルト２０と当接し、デットボルトに対する押し込み力が作用したした場合の補強部材として作用するアシストプレート３０を用いる例を示す。このアシストプレート３０は、ピン２１及びデットボルトに設けたピンに支持され、回転カムの回転に伴いデットボルトと共に移動する。このアシストプレート３０を用いることにより、デットボルトを押し込む不正解錠行為がされても、デットボルトを補強する作用を果たすため、バイパス等の不正解錠行為に対して有効である。
【図面の簡単な説明】
【図１】本発明による建築物用の錠前の一例の構成を示す斜視図である。
【図２】錠前ケース内の構成を示す平面図である。
【図３】デットボルトの一例の構成を示す平面図である。
【図４】本発明による建築物用の錠前の変形例を示す平面図である。
【符号の説明】
１　錠前ケース
４　シリンダ
６　サムターン
９　レバーハンドル
１２　回転カム
２０　デットボルト
２２　デットボルトホルダ
２３　デットボルトスプリング
２４　ラッチボルト
２５　ラッチボルトスプリング
２７　ハンドルホルダ
２９　カムプレート
【図１】
2004143723.tif 000003
【図２】
2004143723.tif 000004
【図３】
2004143723.tif 000005
【図４】
2004143723.tif 000006